(57)【要約】【課題】    粘着シ−ルの印字装置と印字した粘着シ−ルを転写するシ−ル転写カセットを提供する。【解決手段】    粘着シ−ルテ−プ３を有する構成体１とインクリボン８を有するユニット部６を印字装置に装着し、粘着シ−ルの非粘着面に印字を行い粘着シ−ルテ−プを巻取る。シ−ル転写カセット１１に、印字した粘着シ−ルテ−プ、巻出リ−ル１３、巻取リ−ル１４を組み込むことにより粘着シ−ル１５を剥離機構部分１２を介して剥離させ被転写材４０に転写させる。すでに印刷された図柄を使用することなく自由に文字や図柄や写真画像をなどを選択し、必要枚数だけ印字することができ、携帯性、利便性にとんだシ−ル転写を可能にする。【選択図】    図１
2006052006.tif 000002
【特許請求の範囲】
【請求項１】
基材テ−プ上に複数の粘着シ−ルがその粘着層により所定間隔で連続的に貼着保持されている粘着シ−ルテ−プを、粘着シ−ルの非粘着面を外側にして巻き回した巻出リ−ルと粘着シ−ルテ−プを巻き取る巻取リ−ルとを有する構成体（粘着シ−ルテ−プ構成体）に装着し、さらに該粘着シ−ルテ−プ構成体を装着することにより粘着シ−ルの非粘着面に文字等を印字することができるようにしたことを特徴とする印字装置。
【請求項２】
基材テ−プ上に複数の粘着シ−ルがその粘着層により所定間隔で連続的に貼着保持されている粘着シ−ルテ−プを、粘着シ−ルの非粘着面を外側にして巻き回した巻出リ−ルと粘着シ−ルテ−プを巻き取る巻取リ−ルとを有する粘着シ−ルテ−プ構成体に装着し、さらに該粘着シ−ルテ−プ構成体を印字装置に装着することにより粘着シ−ルの非粘着面に文字等を印字した後、該粘着シ−ルテ−プ構成体を印字装置から取り外し粘着シ−ルを基材テ−プから剥離させる剥離機構を保持したカセットに挿入し粘着シ−ルテ−プを剥離機構部分に接触させ粘着シ−ルを基材テ−プから剥離させ被転写材に転写させるようにしたことを特徴とするシ−ル転写カセット。
【請求項３】
基材テ−プ上に複数の粘着シ−ルがその粘着層により所定間隔で連続的に貼着保持されている粘着シ−ルテ−プを、粘着シ−ルの非粘着面を外側にして巻き回した巻出リ−ルと粘着シ−ルを基材テ−プから剥離させる剥離機構、粘着シ−ルテ−プを巻き取る巻取リ−ルを有するカセットに装着し、さらに該カセットを装着することにより粘着シ−ルの非粘着面に文字等を印字することができるようにしたことを特徴とする印字装置。
【請求項４】
基材テ−プ上に複数の粘着シ−ルがその粘着層により所定間隔で連続的に貼着保持されている粘着シ−ルテ−プを、粘着シ−ルの非粘着面を外側にして巻き回した巻出リ−ルと粘着シ−ルを基材テ−プから剥離させる剥離機構、粘着シ−ルテ−プを巻き取る巻取リ−ルを有するカセットに装着し、さらに該カセットを印字装置に装着することにより粘着シ−ルの非粘着面に文字等を印字した後、該カセットを印字装置から取り外し粘着シ−ルテ−プを剥離機構部分に接触させ粘着シ−ルを基材テ−プから剥離させ被転写材に転写させるようにしたことを特徴とするシ−ル転写カセット。
【請求項５】
請求項１及至請求項４の印字に熱転写方式を使用することを特徴とする印字装置。
【請求項６】
請求項１及至請求項４の印字にインクジェット方式を使用することを特徴とする印字装置。
【発明の詳細な説明】
【技術分野】
【０００１】  本発明は、粘着シ−ルの非粘着面に文字や図柄や写真画像などを印字する印字装置および、印字した粘着シ−ルを転写するシ−ル転写カセットに関する。
【背景技術】
【０００２】  文字や画像を粘着シ−ルの非粘着部分に印刷し自走式カセットで該粘着シ−ルを被転写材に転写する方法が開示されているが、事前に印刷した図柄をそのまま使用するものであり、かつ粘着面が外側にある形態であった（特許文献１参照）。【０００３】  非粘着面が外側になるようにしてラベラ−に装着して粘着テ−プ部分を被転写材に転写させる粘着テ−プラベラ−も開示されているが、基材テ−プはラベラ−本体から排出する機構となっておりカセット本体に巻き取る構造とはなっておらず、携帯性にも不便があった（特許文献２参照）。【０００４】  また、印字用のインクリボンと被印字体である粘着シ−ルテ−プを同一のテ−プカ−トリッジに入れ印字する方式も開示されているが、印字後の被印字体を被転写体に貼るためには被印字体の背面にある離型紙を手で剥がして貼る方式となっている（特許文献３参照）。【０００５】
【特許文献１】特開２００３−１９１９２５号  公報
【特許文献２】特開平０６−９９９６３号  公報
【特許文献３】特開平０６−１４３６９４号  公報など
【発明の開示】
【発明が解決しようとする課題】
【０００６】  文字や図柄を粘着シ−ルの非粘着部分に印刷し自走式カセットで被転写材に転写する方法が開示されているが、粘着面を外側にした構成では粘着シ−ルの非粘着面にすでに印刷された図柄などを使用することになるため図柄の自由度に欠ける点があった。また粘着面にごみなどが付着し転写不良を生じることがあった。【０００７】  非粘着面が外側になるようにしてラベラ−に装着して粘着シ−ル部分を転写させる粘着シ−ルラベラ−も開示されているが、基材テ−プはラベラ−本体から排出する機構となっているため、使用者にとって転写を行う上で利便性にかけ、携帯性にも問題があった。【０００８】  印字用のインクリボンと被印字体である粘着シ−ルテ−プを同一のテ−プカ−トリッジに入れ印字する方式も開示されているが、印字後の被印字体を被転写体に貼るためには被印字体の背面にある離型紙を手で剥がして貼る方式となっているため、印字後のラベルを貼るのに不便があり使用者が貼りたい場所に簡便に貼ることを考えると利便性に欠けていた。また、印字後の被印字体は印字装置から排出される構造となっており被印字体を巻き取る構成ではなかった。【０００９】  そこで、本発明は上記従来技術の問題に鑑みなされたものであり、粘着シ−ルの非粘着面を外側にして基材テ−プに貼着した粘着シ−ルテ−プ上の粘着シ−ルの非粘着面に印字装置により使用者が所望する文字や図柄や写真画像などを必要な枚数だけ印字し、巻取リ−ルに巻き取ったのち、被転写体に転写できるシ−ル転写カセットとその印字装置を提供することを課題とする。【００１０】  さらにシ−ル転写カセットについてはコンパクト化された形態とし、基材テ−プ自体もカセット内に巻き取る構成とすることにより転写に際しての使用者の利便性や携帯性を考慮したものである。
【課題を解決するための手段】
【００１１】  本発明者は課題を解決するための手段として、請求項１では、基材テ−プ上に、複数の粘着シ−ルがその粘着層により所定間隔で連続的に貼着保持されている粘着シ−ルテ−プを、粘着シ−ルの非粘着面を外側にして巻き回した巻出リ−ルと粘着シ−ルテ−プを巻き取る巻取リ−ルとを有する粘着シ−ルテ−プ構成体に装着し、さらに該粘着シ−ルテ−プ構成体を印字装置に装着することにより粘着シ−ルの非粘着面に文字等を印字することができるようにしたことを特徴としている。【００１２】  請求項２においては請求項１を溝足する印字装置で作成された前記粘着シ−ルテ−プ構成体を基材テ−プから粘着シ−ルを剥離させる剥離機構が内部に保持されたカセットに挿入し、粘着シ−ルテ−プを剥離機構部分に接触させ粘着シ−ルを基材テ−プから剥離させ被転写材に転写させるようにしたことを特徴としている。【００１３】  前記粘着シ−ルテ−プ構成体を印字装置に装着することにより文字や図柄などを印字するとき複雑な機構も必要とせず、印字装置への着脱が簡便にでき操作性に優れる。【００１４】  また、印字装置を使用することにより、使用者が印字する図柄を自由に選択することができるため、個性に富んだ粘着シ−ルを転写させることができる。【００１５】  請求項３は基材テ−プ上に、複数の粘着シ−ルがその粘着層により所定間隔で連続的に貼着保持されている粘着シ−ルテ−プを、粘着シ−ルの非粘着面を外側にして巻き回した巻出リ−ル、粘着シ−ルを基材テ−プから剥離させる剥離機構、粘着シ−ルテ−プを巻き取る巻取リ−ルを有するカセットに装着し粘着シ−ルの非粘着面に文字等を印字することができるようにしたことを特徴としている。【００１６】  請求項４は請求項３に使用するカセットであることを特徴としている。【００１７】  請求項５および請求項６は、請求項１及至請求項４で使用する印字方式として単色及び写真画像のようなカラ−印字を小スペ−スで印字可能な熱転写方式もしくはインクジェット方式とする事を特徴としている。
【発明の効果】
【００１８】  本発明の印字装置を利用することにより、すでに印刷された図柄にこだわらず使用者が文字や図柄や写真画像など自由に印字パタ−ンを選択し、必要な枚数だけ印字することができ、携帯性に優れ、利便性や図柄の自由度にとんだシ−ル転写カセットを提供することができる。
【発明を実施するための最良の形態】  以下、本発明の好適な実施の形態について説明する。【００１９】  図１（ａ）は本発明の一実施形態に係る印字装置で、熱転写方式の印字装置を使用した形態である。熱転写に使用するリボン８はリボンの巻出７と巻取１０を備えたユニット部６を有し、巻取１０を駆動させることにより印字に使用したリボンを巻き取る。印字される粘着シ−ルをもつ粘着シ−ルテ−プ構成体１は粘着シ−ルテ−プ３を巻き回した巻出リ−ル２と印字した粘着シ−ルテ−プを巻き取る巻取リ−ル５で構成されている。【００２０】  熱転写印字はプラテンロ−ル４、粘着シ−ルテ−プ３、熱転写リボン８をサ−マルヘッド９で押さえつけて印字に必要な印字エネルギ−を印加することにより行う。【００２１】  印字を行うときの粘着シ−ルテ−プの巻取リ−ル５の駆動はプラテンロ−ル４の駆動部分から歯車１７，１８，１９を介して行い、スリップトルクを利用することにより印字走行時の巻取リ−ル５の回転力のバランスをとって粘着シ−ルテ−プの巻取に異常が発生しないようにする。【００２２】  印字された粘着シ−ルテ−プ３と巻出リ−ル２と巻取リ−ル５との構成体を印字装置から取り出し、印字時の巻取リ−ル５が巻出リ−ル１３になり、印字時の巻出リ−ル２が巻取リ−ル１４になるように粘着シ−ルを基材テ−プから剥離させる剥離機構を保持したカセット１１に挿入し、巻出リ−ル１３と巻取リ−ル１４とのあいだにベルト２３を介在させて矢印のように被転写材４０に沿ってカセット１１を動かす。これにより図１（ｂ）に示したようにテ−プ引出しロ−ラ１６が剥離機構部分１２と巻取リ−ル１４の間で粘着シ−ルテ−プと接触しつつ被転写材４０上を回転して粘着シ−ルテ−プが巻取リ−ル１３から引出され、粘着シ−ルテ−プを剥離機構部分１２に接触させて粘着シ−ル１５を基材テ−プから剥離させることによって被転写材４０上に粘着シ−ル１５を転写させる。【００２３】  印字後の粘着シ−ルテ−プ３をカセットに装着するために粘着シ−ルテ−プ構成体の巻出と巻取部分を印字装置から取り外してカセット１１に装着してもよいが、印字後印字装置から取り外した位置関係のままカセットに装着できるような交換方式として巻取や巻出を一体化して印字装置やカセットへの装脱着が簡便にできるようにしてもよい。【００２４】  印字の際に必要となるプラテンロ−ルは粘着シ−ルテ−プ構成体の機構部分に組み込むか、プリンタ−本体に設置するかは適宜印字装置設計のさいに選択すればよい。【００２５】  図２（ａ）は基材テ−プ上に、複数の粘着シ−ルがその粘着層により所定間隔で連続的に貼着保持されている粘着シ−ルテ−プ３を、粘着シ−ルの非粘着面を外側にして巻き回した巻出リ−ル２と粘着シ−ルを基材テ−プから剥離させる剥離機構２１、粘着シ−ルテ−プを巻き取る巻取リ−ル５とをはじめからカセット２２に装着し粘着シ−ルの非粘着面に文字等を印字することができるようにした形態を示す。【００２６】  印字を行うときの巻取リ−ル５の駆動はプラテンロ−ル４の駆動部分から歯車１７，１８，１９を介して行い、スリップトルクを利用して粘着シ−ルテ−プの巻取に異常が発生しないようにする。【００２７】  粘着シ−ルテ−プ���ら粘着シ−ルを剥離するための剥離機構部分２１は回転できるようにし、印字を行うときは鋭角にとがった剥離機構部分ではなく反対側の円形部分が粘着シ−ルテ−プの背面と接するように回転させ、印字走行時の走行安定性を与えるためのガイド機構をもたせるものとする。【００２８】  印字を行うときの剥離機構部分の先端は粘着シ−ルテ−プと接触しないように剥離機構部分をスライドさせるなどして印字するときに剥離機構部分で粘着シ−ルが剥離しにくいようにしたり、剥離機構部分の先端形状を丸くして印字するときに粘着シ−ルが剥れにくくするなどして印字するときには粘着シ−ルが剥れず、転写するときには剥離機構部分で剥離するよう適宜形状を選択することもできる。【００２９】  印字後のカセットは図２（ｂ）に示すように粘着シ−ルテ−プから粘着シ−ル１５を剥離するための剥離機構部分２１を回転させて鋭角部分がカセットの外側に向くようにしたシ−ル転写カセット２２とし、被転写材４０上で剥離機構部分２１を矢印方向に移動させることにより粘着シ−ル１５を被転写体４０に転写させる。【００３０】  上記実施の形態では印字方式として熱転写方式を使用する形態を示したが、インクジェット方式を使用してフルカラ−画像を得ることもできる。【００３１】  本発明の実施形態では、印字を行うときの巻取リ−ルの駆動はプラテンロ−ルの駆動部分から歯車を介して行う構成としたが、巻取リ−ルの駆動はプラテンロ−ルの駆動と独立させても良い。【００３２】  シ−ル転写カセットの駆動方法としては剥離機構部分を被転写体に押し当てて動かすことによって巻出リ−ル１３と巻取リ−ル１４とを回転させる方法としてもよいし、図３に示すように回転ダイヤル３１を指先で回転させることにより巻取リ−ル１４を回転させて粘着シ−ルテ−プを巻出リ−ル１３から引出し剥離機構部分２１で粘着シ−ル１５を押出して被転写材４０に押圧することによって転写させる機構にしてもよい。【００３３】  シ−ル転写カセットの駆動形態としてはベルトを使用した回転方式を最良の形態として示したが歯車を使用した回転方式なども適宜選択することができる。
【図面の簡単な説明】
【００３４】
【図１】  （ａ）は本発明の一実施形態を示す印字装置の印字部分図。（ｂ）は（ａ）による印字後の粘着シ−ルテ−プを用いたシ−ル転写カセットを使用する転写状態図。
【図２】  （ａ）は本発明の別の実施形態を示す印字装置の印字部分図。（ｂ）は（ａ）による印字後の粘着シ−ルテ−プを用いたシ−ル転写カセットを使用する転写状態図。
【図３】  回転ダイヤルを利用したシ−ル転写カセットを使用する転写状態図。
【符号の説明】
【００３５】  １  粘着シ−ルテ−プ構成体
２  粘着シ−ルテ−プ巻出リ−ル
３  粘着シ−ルテ−プ
４  プラテンロ−ル
５  粘着シ−ルテ−プ巻取リ−ル
６  熱転写リボンユニット部
７  熱転写リボン巻出
８  熱転写リボン
９  サ−マルヘッド
１０  熱転写リボン巻取
１１  シ−ル転写カセット
１２  剥離機構部分
１３  シ−ル転写巻出リ−ル
１４  シ−ル転写巻取リ−ル
１５  粘着シ−ル
１６  テ−プ引出しロ−ラ
１７  歯車
１８  歯車
１９  歯車
２１  剥離機構部分
２２  シ−ル転写カセット
２３  ベルト
３１  回転ダイヤル
４０  被転写材
【図１】
2006052006.tif 000003
【図２】
2006052006.tif 000004
【図３】
2006052006.tif 000005